(57)【要約】【課題】照明部にフィルターを装着可能な複数の照明装置を備えた照明システムにおいて、フィルターの誤装着を防止する照明システム、管理装置及びその制御方法、並びにプログラムを提供する。【解決手段】照明システム１５０は、照明部にフィルターが装着されているか否かを示すとともに、フィルターが装着されているときは、当該フィルターを特定するフィルター情報を、複数の照明装置ごとに取得し、取得されたフィルター情報により定まる基準フィルター情報と一致しないフィルター情報の照明装置を特定し、特定された照明装置が基準フィルター情報と一致しないフィルター情報の照明装置であることを警告する。【選択図】図３
2013109213.tif 000002
【特許請求の範囲】
【請求項１】
照明部にフィルターを装着可能な複数の照明装置を備えた照明システムであって、
前記照明部にフィルターが装着されているか否かを示すとともに、フィルターが装着されているときは、当該フィルターを特定するフィルター情報を、前記複数の照明装置ごとに取得する取得手段と、
前記取得手段により取得されたフィルター情報により定まる基準フィルター情報と一致しないフィルター情報の照明装置を特定する特定手段と、
前記特定手段により特定された照明装置が前記基準フィルター情報と一致しないフィルター情報の照明装置であることを警告する警告手段と
を備えたことを特徴とする照明システム。
【請求項２】
情報を表示する表示手段をさらに備え、
前記警告手段は、前記基準フィルター情報と一致しないフィルター情報の照明装置を示す情報を前記表示手段に表示することにより警告することを特徴とする請求項１記載の照明システム。
【請求項３】
前記警告手段は、前記基準フィルター情報と一致しないフィルター情報の照明装置を、略同時または時間差をおいて発光させることにより警告することを特徴とする請求項１または２記載の照明システム。
【請求項４】
前記特定手段は、前記基準フィルター情報を、予め定められた照明装置のフィルター情報か、または前記取得手段により取得されたフィルター情報のうち、最も多いフィルター情報として照明装置を特定することを特徴とする請求項１乃至３のいずれか１項に記載の照明システム。
【請求項５】
照明部にフィルターを装着可能な複数の照明装置を備えた照明システムにおける管理装置であって、
前記照明部にフィルターが装着されているか否かを示すとともに、フィルターが装着されているときは、当該フィルターを特定するフィルター情報を、前記複数の照明装置ごとに取得する取得手段と、
前記取得手段により取得されたフィルター情報により定まる基準フィルター情報と一致しないフィルター情報の照明装置を特定する特定手段と、
前記特定手段により特定された照明装置が前記基準フィルター情報と一致しないフィルター情報の照明装置であることを警告する警告手段と
を備えたことを特徴とする管理装置。
【請求項６】
情報を表示する表示手段をさらに備え、
前記警告手段は、前記基準フィルター情報と一致しないフィルター情報の照明装置を示す情報を前記表示手段に表示することにより警告することを特徴とする請求項５記載の管理装置。
【請求項７】
前記警告手段は、前記基準フィルター情報と一致しないフィルター情報の照明装置を、略同時または時間差をおいて発光させることにより警告することを特徴とする請求項５または６記載の管理装置。
【請求項８】
前記特定手段は、前記基準フィルター情報を、予め定められた照明装置のフィルター情報か、または前記取得手段により取得されたフィルター情報のうち、最も多いフィルター情報として照明装置を特定することを特徴とする請求項５乃至７のいずれか１項に記載の管理装置。
【請求項９】
照明部にフィルターを装着可能な複数の照明装置を備えた照明システムにおける管理装置の制御方法であって、
前記照明部にフィルターが装着されているか否かを示すとともに、フィルターが装着されているときは、当該フィルターを特定するフィルター情報を、前記複数の照明装置ごとに取得する取得ステップと、
前記取得ステップにより取得されたフィルター情報により定まる基準フィルター情報と一致しないフィルター情報の照明装置を特定する特定ステップと、
前記特定ステップにより特定された照明装置が前記基準フィルター情報と一致しないフィルター情報の照明装置であることを警告する警告ステップと
を備えたことを特徴とする制御方法。
【請求項１０】
照明部にフィルターを装着可能な複数の照明装置を備えた照明システムにおける管理装置の制御方法をコンピュータに実行させるためのプログラムであって、
前記制御方法は、
前記照明部にフィルターが装着されているか否かを示すとともに、フィルターが装着されているときは、当該フィルターを特定するフィルター情報を、前記複数の照明装置ごとに取得する取得ステップと、
前記取得ステップにより取得されたフィルター情報により定まる基準フィルター情報と一致しないフィルター情報の照明装置を特定する特定ステップと、
前記特定ステップにより特定された照明装置が前記基準フィルター情報と一致しないフィルター情報の照明装置であることを警告する警告ステップと
を備えたことを特徴とするプログラム。 
【発明の詳細な説明】
【技術分野】
【０００１】
本発明は、照明システム、管理装置及びその制御方法、並びにプログラムに関し、特に、被写体を照明する照明システム、管理装置及びその制御方法、並びにプログラムに関する。
【背景技術】
【０００２】
従来より、環境光に撮影用の照明光の色をあわせる為に、照明光を照射する照射部にカラーフィルターを装着している。
【０００３】
例えば、撮影用の照明光を照射する照射部に装着可能な装着物の識別をし、装着物がフィルターであると認識した場合に撮影画像のデータの色情報を補正する技術が開示されている（例えば、特許文献１参照）。
【先行技術文献】
【特許文献】
【０００４】
【特許文献１】特開２００９−０２０２９８号公報
【発明の概要】
【発明が解決しようとする課題】
【０００５】
しかしながら、特許文献１に開示された技術は、個々の照明装置が装着されているフィルターの種類を認識する技術であり、他の照明装置のフィルター装着状況を確認するものではない。
【０００６】
従って、複数の照明装置の一部に性質の違うフィルターを誤装着してしまっていたり、フィルターの装着し忘れがあった場合でも、それらを認識できず、意図しない撮影が行われてしまう可能性がある。
【０００７】
本発明の目的は、照明部にフィルターを装着可能な複数の照明装置を備えた照明システムにおいて、フィルターの誤装着を防止する照明システム、管理装置及びその制御方法、並びにプログラムを提供することにある。
【課題を解決するための手段】
【０００８】
上記目的を達成するために、請求項１の照明システムは、照明部にフィルターを装着可能な複数の照明装置を備えた照明システムであって、前記照明部にフィルターが装着されているか否かを示すとともに、フィルターが装着されているときは、当該フィルターを特定するフィルター情報を、前記複数の照明装置ごとに取得する取得手段と、前記取得手段により取得されたフィルター情報により定まる基準フィルター情報と一致しないフィルター情報の照明装置を特定する特定手段と、前記特定手段により特定された照明装置が前記基準フィルター情報と一致しないフィルター情報の照明装置であることを警告する警告手段とを備えたことを特徴とする。
【発明の効果】
【０００９】
本発明によれば、照明部にフィルターを装着可能な複数の照明装置を備えた照明システムにおいて、フィルターの誤装着を防止する照明システム、管理装置及びその制御方法、並びにプログラムを提供することができる。
【図面の簡単な説明】
【００１０】
【図１】本発明の実施の形態に係る照明システムの概略構成を示す図である。
【図２】図１におけるマスターのストロボの構成を示す図である。
【図３】図２における制御部により実行される警告処理の手順を示すフローチャートである。
【図４】図１におけるストロボの表示部、またはカメラの表示部での警告表示例を示す図である。
【図５】図１におけるマスターのトランスミッターの構成を示す図である。
【図６】図５における制御部により実行される警告処理の手順を示すフローチャートである。
【図７】図１におけるカメラの表示部での警告表示例を示す図である。
【図８】図２における制御部、または図５における制御部により実行される警告処理の手順を示すフローチャートである。
【図９】警告表示要求によって発光したスレーブを示す図である。
【図１０】図２における制御部、または図５における制御部により実行される警告処理の手順を示すフローチャートである。
【図１１】警告表示要求によって発光したスレーブを示す図である。
【発明を実施するための形態】
【００１１】
以下、本発明の実施の形態について図面を参照しながら詳述する。
【００１２】
図１は、本発明の実施の形態に係る照明システム１５０の概略構成を示す図である。
【００１３】
図１において、照明システム１５０は、撮影用の照明光の作動指示をするマスター１７１、及びマスター１７１より空間的に離れた位置に配置されるスレーブ１７０により構成されている。すなわち、照明システム１５０は、複数の照明装置を備えた照明システムとなっている。本実施の形態では、上記マスター１７１に管理装置が対応している。
【００１４】
本実施の形態の場合、スレーブ１７０は、５台のスレーブ１１０，１１１，１１２，１１３，１１４となっているが、５台に限るものではない。
【００１５】
マスター１７１は、２種類あり、そのうちの１つが照明部を備えたマスター１４０である。もう１つは、照明部を備えていないマスター１４１である。
【００１６】
マスター１４０は、ストロボ１００、ストロボ１００の表示部１０１、照明部１０６、マスターストロボが装着されるカメラ１０２、及びカメラ１０２の表示部１０３を備えている。なお、照明部１０６は、図に示される方向からは見えないため、便宜的に図のように示している。また、照明部１０６は、環境光に合わせた照明光にするためのフィルターが装着可能となっており、照明部１０６には、フィルターＡが装着されている。
【００１７】
マスター１４１は、トランスミッター１０４、カメラ１３０、及びカメラ１３０の表示部１３１を備えている。
【００１８】
一方、スレーブ１１０，１１１，１１２，１１３，１１４は、それぞれ照明部１２０，１２１，１２２，１２３，１２４を備えている。そして、照明部１２０，１２１，１２２，１２３，１２４は、環境光に合わせた照明光にするためのフィルターが装着可能となっている。
【００１９】
図１の場合、照明部１２２，１２３，１２４には、フィルターＡが装着されている。また、照明部１２０には、フィルターＢが装着されている。そして、照明部１２１には、フィルターが装着されていない。
【００２０】
すなわち、照明部１２０，１２１は、マスター１４０の照明部１０６に装着されているフィルターとは異なっている。
【００２１】
上述した図１の構成を用いて、４つの実施の形態を説明する。
【００２２】
［第１の実施の形態］
第１の実施の形態では、マスター１４０の場合について説明する。
【００２３】
図２は、図１におけるマスター１４０のストロボ１００の構成を示す図である。
【００２４】
なお、スレーブ１７０の構成も図２に示される構成と同様の構成となっている。
【００２５】
図２において、ストロボ１００は、電池２０２が装着されることにより電源回路２０３が作動し、ストロボ１００を制御する制御部２００に電源が供給される。
【００２６】
制御部２００は、ＣＰＵ、ＲＯＭ、ＲＡＭなどにより構成され、ストロボ１００全体を制御する。この制御部２００は、ＳＷ回路２０９におけるＰＯＷＥＲスイッチの状態を検出し、電源のオン、オフをコントロールする。
【００２７】
また、制御部２００は、ＳＷ回路２０９におけるＭＥＮＵスイッチがユーザにより押下されると、表示回路２１５によりＬＣＤ２２０をパラメータ設定モード表示とする。そして、制御部２００は、ダイアルユニット２１０やＳＥＴスイッチに対するユーザの操作によって、制御に必要なパラメータを設定する。
【００２８】
上記ダイアルユニット２１０には回転方向によってパルスの出方が変わるＤＩＡＬ１、及びＤＩＡＬ２の切片があり、回転方向と回転数を収得する事により、スムーズにパラメータの変更が行えるようになっている。
【００２９】
さらに、制御部２００は、ワイヤレスセレクター２１１の状態により、ワイヤレスモードでの作動状態を設定する。ワイヤレスセレクター２１１の状態がＯＦＦのときはワイヤレスモードで動作しない。ワイヤレスセレクター２１１の状態がＭＡＳＴＥＲのときはマスターとして動作する。ワイヤレスセレクター２１１の状態がＳＬＡＶＥのときはスレーブとして動作する。
【００３０】
従って、ストロボ１００、及びスレーブ１７０のワイヤレスセレクター２１１の状態は、それぞれＭＡＳＴＥＲ、ＳＬＡＶＥとなっている。
【００３１】
ＳＷ回路２０９のＰＯＷＥＲスイッチによってユーザにより電源がオンとされると、それと同時に充電回路２０４を作動させ発光のための充電が行われる。
【００３２】
接続端子２１３は、ストロボ１００とカメラ１０２とを接続する端子であり、これにより、カメラ１０２との通信が可能となる。
【００３３】
カメラ１０２から、レリーズ信号を受信すると、制御部２００は発光回路２０５に指令を出してＸｅ管２０６にトリガーをかけて発光させる。
【００３４】
フィルター検出回路２０７は、フィルターが装着されているか否かを示すとともに、フィルターが装着されているときは、当該フィルターを特定するフィルター情報を検出する。
【００３５】
スレーブとして動作しているとき、このフィルター情報は、通信回路２１２の無線ユニット（ＲＦ−ｕ）によりマスター１４０へ送信される。通信手段を無線としているが有線、光通信等、いかなる手段であってもよい。
【００３６】
ワイヤレス機能がＯＦＦ、またはＭＡＳＴＥＲとなっているときは、接続端子２１３によりカメラ１０２にフィルター情報が送信される。
【００３７】
さらに、ワイヤレス機能がＭＡＳＴＥＲとなっているときは、通信回路２１２の無線ユニット（ＲＦ−ｕ）により、スレーブ１７０から各々のフィルター情報を取得する。
【００３８】
図３は、図２における制御部２００により実行される警告処理の手順を示すフローチャートである。
【００３９】
図３の警告処理は、ストロボ１００の起動時などに実行される。
【００４０】
図３において、スレーブ１７０へフィルター情報要求を送信することで（ステップＳ３０１）、スレーブ１７０からフィルター情報を取得する（ステップＳ３０２）。フィルター情報は、制御部２００のＲＡＭに保持される。このステップＳ３０２は、照明部にフィルターが装着されているか否かを示すとともに、フィルターが装着されているときは、当該フィルターを特定するフィルター情報を、複数の照明装置ごとに取得する取得手段に対応する。
【００４１】
全てのスレーブ１７０からフィルター情報を取得すると（ステップＳ３０３でＹＥＳ）、フィルター情報を確認する（ステップＳ３０４）。この確認とは、ストロボ１００のフィルター情報、及びスレーブ１７０のフィルター情報が一致するか否かの確認である。このステップＳ３０４は、取得されたフィルター情報により定まる基準フィルター情報と一致しないフィルター情報の照明装置を特定する特定手段に対応する。なお、ここでの基準フィルター情報は、予め定められた照明装置がマスターであるので、マスターのフィルター情報となる。
【００４２】
フィルター情報が一致しているとき（ステップＳ３０５でＹＥＳ）、本処理を終了する。一方、フィルター情報が一致していないとき（ステップＳ３０５でＮＯ）、警告表示し（ステップＳ３０６）、警告表示が終了すると（ステップＳ３０７でＹＥＳ）、本処理を終了する。このステップＳ３０６は、特定された照明装置が基準フィルター情報と一致しないフィルター情報の照明装置であることを警告する警告手段に対応する。
【００４３】
上記ステップＳ３０６における警告表示とは、誤装着となっていることを警告するものである。
【００４４】
この誤装着か否かの判断基準は、本実施の形態では２つある。１つは、マスター１４０のストロボ１００のフィルター情報を用いた基準である。この基準の場合は、ストロボ１００のフィルター情報が基準フィルター情報であり、これとは異なるフィルター情報となっているときは、誤装着と判断される。
【００４５】
もう１つの判断基準は、ストロボ１００及びスレーブ１７０のフィルター情報のうち、最も多いフィルター情報を用いた基準である。この基準の場合は、最も多いフィルター情報が基準フィルター情報であり、これとは異なるフィルター情報となっているときは、誤装着と判断される。なお、判断基準は、上記２つの判断基準に限るものではない。
【００４６】
図１の構成の場合では、２つのいずれの基準でも、スレーブ１１０、及びスレーブ１１１が誤装着として表示対象となる。
【００４７】
図４は、図１におけるストロボ１００の表示部１０１、またはカメラ１０２の表示部１０３での警告表示例を示す図である。
【００４８】
図４において、警告表示４０１では、例としてストロボ１００のフィルター情報とは異なるフィルター情報を持つスレーブ１１０を示すアイコンを反転表示させることで警告を表示し、確認を促すようになっている。なお、図４のように、―，Ａ，Ｂなどのフィルターの種類は表示せずに、ストロボ１００のフィルター情報とは異なるフィルター情報を持つスレーブ１１０を示すアイコンを反転表示させるだけでもよい。また、ストロボ１００のフィルター情報とは異なるフィルター情報を持つスレーブ１１０を示すアイコンを反転表示させるのではなく、ストロボ１００のフィルター情報と同じフィルター情報を持つスレーブ１１０を示すアイコンを表示しないようにしてもよい。
【００４９】
このように、上記ステップＳ３０６では、表示部１０１，１０３が情報を表示する表示手段に対応しており、基準フィルター情報と一致しないフィルター情報の照明装置を示す情報を表示部１０１，１０３に表示することにより警告する。
【００５０】
なお、意図して他のスレーブと異なるフィルターを装着している場合はＳＷ回路２０９のＳＥＴスイッチの操作により、警告発生を解除できる。
【００５１】
以上説明したように、本実施の形態によれば、フィルターの誤装着による意図しない撮影を行ってしまう事を防ぐという効果がある。
【００５２】
［第２の実施の形態］
第２の実施の形態では、マスター１４１の場合について説明する。
【００５３】
図５は、図１におけるマスター１４１のトランスミッター１０４の構成を示す図である。
【００５４】
トランスミッター１０４は照明部を備えてなく、トランスミッター１０４は電池８０１が装着されることにより電源回路８０２が作動し、トランスミッター１０４を制御するとともに、ＣＰＵ、ＲＯＭ、ＲＡＭなどで構成された制御部８００に電源が供給される。
【００５５】
制御部８００はＳＷ回路８０３におけるＰＯＷＥＲスイッチの状態を検出し、電源のオン、オフをコントロールする。
【００５６】
ユーザにより不図示のＭＯＤＥボタンが押下されることにより、スレーブとして制御するためのチャンネル設定等を行うモードに入る。トランスミッター１０４は、表示回路８０８によりＬＥＤ８１０による表示も行うことでユーザに情報を明示することができる。
【００５７】
一方、複雑な設定などは接続端子８０６により接続されたカメラ１０２との通信により、カメラ１０２の表示部１０３が用いられる。
【００５８】
制御部８００は、ダイアルユニット８０４やＳＥＴスイッチに対するユーザの操作によって、制御に必要なパラメータを設定する。
【００５９】
ダイアルユニット８０４には回転方向によってパルスの出方が変わるＤＩＡＬ１、ＤＩＡＬ２の切片があり、回転方向と回転数を収得する事により、スムーズにパラメータの変更が行える。
【００６０】
また、通信回路８０５の無線ユニット（ＲＦ−ｕ）により、スレーブ１７０から各々のフィルター情報を取得する。接続端子２１３によりカメラ１０２に取得されたフィルター情報が送信される。
【００６１】
図６は、図５における制御部８００により実行される警告処理の手順を示すフローチャートである。
【００６２】
図６の警告処理は、トランスミッター１０４の起動時などに実行される。
【００６３】
図６において、スレーブ１７０へフィルター情報要求を送信することで（ステップＳ６０１）、スレーブ１７０からフィルター情報を取得する（ステップＳ６０２）。フィルター情報は、制御部８００のＲＡＭに保持される。
【００６４】
全てのスレーブ１７０からフィルター情報を取得すると（ステップＳ６０３でＹＥＳ）、フィルター情報を確認する。この確認とは、スレーブ１７０のフィルター情報が一致するか否かの確認である。
【００６５】
フィルター情報が一致しているとき（ステップＳ６０５でＹＥＳ）、本処理を終了する。一方、フィルター情報が一致していないとき（ステップＳ６０５でＮＯ）、警告表示し（ステップＳ６０６）、警告表示が終了すると（ステップＳ６０７でＹＥＳ）、本処理を終了する。
【００６６】
上述した図６の警告表示処理における、警告表示、及び誤装着か否かの判断基準は、第１の実施の形態と同じである。
【００６７】
図１の構成の場合では、２つのいずれの基準でも、スレーブ１１０、及びスレーブ１１１が誤装着として表示対象となる。
【００６８】
図７は、図１におけるカメラ１３０の表示部１３１での警告表示例を示す図である。
【００６９】
図７において、警告表示６０１では、例として最も多いフィルター情報とは異なるフィルター情報とは異なるフィルター情報を持つスレーブ１１０を示すアイコンを反転表示させることで警告を表示し、確認を促すようになっている。なお、警告表示は、第１の実施形態で説明した例を適用してもよい。
【００７０】
なお、意図して他のスレーブと異なるフィルターを装着している場合はＳＷ回路８０３のＳＥＴスイッチの操作により、警告発生を解除できる。
【００７１】
以上説明したように、本実施の形態によれば、フィルターの誤装着による意図しない撮影を行ってしまう事を防ぐという効果がある。
【００７２】
［第３の実施の形態］
第３の実施の形態では、スレーブ１７０を用いて警告表示を実行する処理について説明する。また、本実施の形態では、マスター１４０，１４１のいずれのマスターであってもよい。
【００７３】
図８は、図２における制御部２００、または図５における制御部８００により実行される警告処理の手順を示すフローチャートである。
【００７４】
図８の警告処理は、ストロボ１００、またはトランスミッター１０４の起動時などに実行される。なお、警告処理により警告が必要と判断した場合にはスレーブ１７０を発光させるので、ユーザによるフィルターの誤装着を判断する指示、例えば、ユーザにより不図示の判断ボタンが押下されたことに応じて警告処理を実行するようにするのが望ましい。また、このフローチャートでは、動作主体を制御部２００として説明する。
【００７５】
図８において、スレーブ１７０へフィルター情報要求を送信することで（ステップＳ８０１）、スレーブ１７０からフィルター情報を取得する（ステップＳ８０２）。フィルター情報は、制御部２００のＲＡＭに保持される。
【００７６】
全てのスレーブ１７０からフィルター情報を取得すると（ステップＳ８０３でＹＥＳ）、フィルター情報を確認する。この確認とは、スレーブ１７０のフィルター情報が一致するか否かの確認である。
【００７７】
フィルター情報が一致しているとき（ステップＳ８０５でＹＥＳ）、本処理を終了する。一方、フィルター情報が一致していないとき（ステップＳ８０５でＮＯ）、警告表示要求を送信し（ステップＳ８０６）、警告表示要求の送信が終了すると（ステップＳ８０７でＹＥＳ）、本処理を終了する。
【００７８】
上述した図８の警告表示処理における、警告表示、及び誤装着か否かの判断基準は、第１の実施の形態と同じである。
【００７９】
また、上記警告表示要求は、フィルター情報が異なるスレーブ１７０に対して、発光をさせる要求である。従って、ステップＳ８０６、８０７は、フィルター情報が異なるスレーブ１７０の個数だけループされる。ループ処理に要する時間はわずかであるので、フィルター情報が異なるスレーブ１７０が略同時に発光することとなる。
【００８０】
図９は、警告表示要求によって発光したスレーブを示す図である。
【００８１】
マスター１４０によって、スレーブ１１０，１１１により警告表示要求が送信され、それに応じてスレーブ１１０，１１１がほぼ同時に発光することとなる。
【００８２】
以上説明したように、本実施の形態によれば、ユーザの視覚的にわかりやすいように警告表示でき、その結果、フィルターの誤装着による意図しない撮影を行ってしまう事を防ぐという効果がある。
【００８３】
［第４の実施の形態］
第４の実施の形態では、スレーブ１７０を用いて警告表示を実行する処理について説明する。また、本実施の形態では、マスター１４０，１４１のいずれのマスターであってもよい。
【００８４】
図１０は、図２における制御部２００、または図５における制御部８００により実行される警告処理の手順を示すフローチャートである。
【００８５】
図１０の警告処理は、ストロボ１００、またはトランスミッター１０４の起動時などに実行される。なお、本実施の形態も、第３の実施の形態と同様に、ユーザによるフィルターの誤装着を判断する指示、例えば、ユーザにより不図示の判断ボタンが押下されたことに応じて警告処理を実行するようにするのが望ましい。また、このフローチャートでは、動作主体を制御部２００として説明する。
【００８６】
図１０において、スレーブ１７０へフィルター情報要求を送信することで（ステップＳ１００１）、スレーブ１７０からフィルター情報を取得する（ステップＳ１００２）。フィルター情報は、制御部２００のＲＡＭに保持される。
【００８７】
全てのスレーブ１７０からフィルター情報を取得すると（ステップＳ１００３でＹＥＳ）、フィルター情報を確認する。この確認とは、スレーブ１７０のフィルター情報が一致するか否かの確認である。
【００８８】
フィルター情報が一致しているとき（ステップＳ１００５でＹＥＳ）、本処理を終了する。一方、フィルター情報が一致していないとき（ステップＳ１００５でＮＯ）、警告表示要求を送信する（ステップＳ１００６）。この警告表示要求は、フィルター情報が一致していないスレーブ１７０に対して送信される。
【００８９】
次いで、警告表示要求の送信が終了したか否か判別する（ステップＳ１００７）。ステップＳ１００７の判別の結果、警告表示要求の送信が終了すると（ステップＳ１００７でＹＥＳ）、本処理を終了する。
【００９０】
一方、警告表示要求の送信が終了していないとき（ステップＳ１００７でＮＯ）、予め定められた時間Ｔミリ秒だけウェイトし（ステップＳ１００８）、上記ステップＳ１００６に戻る。上記予め定められた時間Ｔミリ秒は、例えば５００ミリ秒など、ユーザが順次発光したことを識別可能な時間であればよい。
【００９１】
従って、フィルター情報が一致していないスレーブ１７０が複数存在する場合は、この個数分だけステップＳ１００６〜ステップＳ１００８がループされる。
【００９２】
上述した図１０の警告表示処理における、警告表示、及び誤装着か否かの判断基準は、第１の実施の形態と同じである。
【００９３】
また、上記警告表示要求は、フィルター情報が異なるスレーブ１７０に対して、発光をさせる要求である。図１０の場合は、ウェイトが存在するので、フィルター情報が異なるスレーブ１７０のすべてに対して順次送信される。それに応じてフィルター情報が異なるスレーブ１７０が順次に発光することとなる。
【００９４】
図１１は、警告表示要求によって発光したスレーブを示す図である。
【００９５】
マスター１４０によって、スレーブ１１０，１１１により警告表示要求が順次送信され、それに応じてスレーブ１１０，１１１が順次発光することとなる。
【００９６】
以上説明したように、本実施の形態によれば、ユーザの視覚的にわかりやすいように警告表示でき、その結果、フィルターの誤装着による意図しない撮影を行ってしまう事を防ぐという効果がある。
【００９７】
第３，４の実施の形態によれば、基準フィルター情報と一致しないフィルター情報の照明装置を、略同時または時間差をおいて発光させることにより警告することとなる。
【００９８】
以上説明した第１〜４の実施の形態によれば、基準フィルター情報と一致しないフィルター情報の照明装置を特定し、特定された照明装置が基準フィルター情報と一致しないフィルター情報の照明装置であることを警告する。その結果、フィルターの誤装着を防止することができる。
【００９９】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１００】
１００  ストロボ
１０１，１０３，１３１  表示部
１０２，１３０  カメラ
１０４  トランスミッター
１０６，１２０，１２１，１２２，１２３，１２４  照明部
１１０，１１１，１１２，１１３，１１４，１７０  スレーブ
１４０，１４１，１７１  マスター
２００，８００  制御部
１５０  照明システム
４０１，６０１  警告表示
【図１】
2013109213.tif 000003
【図２】
2013109213.tif 000004
【図３】
2013109213.tif 000005
【図４】
2013109213.tif 000006
【図５】
2013109213.tif 000007
【図６】
2013109213.tif 000008
【図７】
2013109213.tif 000009
【図８】
2013109213.tif 000010
【図９】
2013109213.tif 000011
【図１０】
2013109213.tif 000012
【図１１】
2013109213.tif 000013